(57)【要約】【課題】外部からの衝撃によるハウジング部の変形の恐れがなく、安定性を向上させながら軽量化が可能なバッテリモジュールを提供する。【解決手段】同一方向に整列された複数のバッテリーセル１１０と、バッテリーセル１１０を収容するハウジング部１２０ａとを備え、ハウジング部１２０ａは、隣接した二つのバッテリーセル１１０の間に配置される補強プレート１２２ａと、補強プレート１２２ａの両端のそれぞれに結合するように配置された第１側面プレート１２１ａ及び第２側面プレートと、第１側面プレート１２１ａ及び第２側面プレート１２１ｂのそれぞれの一端部に結合された第１端部プレート１２３と、第１側面プレート１２１ａ及び第２側面プレート１２１ｂのそれぞれの他端部に結合された第２端部プレート１２３と、を含む。【選択図】図２
2014212112.tif 000002
【特許請求の範囲】
【請求項１】
同一方向に整列された複数のバッテリーセルと、
前記バッテリーセルを収容するハウジング部と、
を備え、
前記ハウジング部は、
隣接した二つの前記バッテリーセルの間に配置される補強プレートと、
前記補強プレートの両端のそれぞれに結合するように配置された第１側面プレート及び第２側面プレートと、
前記第１側面プレート及び前記第２側面プレートのそれぞれの一端部に結合された前記第１端部プレートと、
前記第１側面プレート及び前記第２側面プレートのそれぞれの他端部に結合された前記第２端部プレートと、を含むことを特徴とするバッテリモジュール。
【請求項２】
前記補強プレートは、前記第１側面プレートと前記第２側面プレートとに溶接されたことを特徴とする請求項１に記載のバッテリモジュール。
【請求項３】
前記補強プレート、前記第１側面プレート、及び前記第２側面プレートは、同一の物質を含むことを特徴とする請求項２に記載のバッテリモジュール。
【請求項４】
前記補強プレート、前記第１側面プレート、及び前記第２側面プレートのうちいずれか一つは溝またはホールを含み、
前記補強プレート、前記第１側面プレート、及び前記第２側面プレートのうちいずれか他の一つは突出部を含み、
前記突出部は、前記ホールまたは溝に結合され、前記補強プレートが前記第１側面プレートと前記第２側面プレートとに結合されるようにすることを特徴とする請求項１に記載のバッテリモジュール。
【請求項５】
前記溝またはホールは、前記突出部がスライドできるようにする縦方向のスリット形状を持つことを特徴とする請求項４に記載のバッテリモジュール。
【請求項６】
前記溝またはホールは、前記突出部が当てはまるノッチの形態を持つことを特徴とする請求項４に記載のバッテリモジュール。
【請求項７】
前記補強プレート及び前記第１側面プレートとは互いにネジ結合し、前記補強プレート及び前記第２側面プレートとは互いにネジ結合することを特徴とする請求項１に記載のバッテリモジュール。
【請求項８】
前記補強プレートは第１結合ホールを含み、前記第１側面プレートと前記第２側面プレートとはそれぞれ第２結合ホールを含み、固定部材が前記第１結合ホール及び前記第２結合ホールを貫通するように延在することを特徴とする請求項７に記載のバッテリモジュール。
【請求項９】
前記補強プレートが間に位置された二つの隣接した前記バッテリーセルは、前記複数のバッテリーセルの中央部に位置することを特徴とする請求項１に記載のバッテリモジュール。
【請求項１０】
前記補強プレートの厚さ、前記第１側面プレートの厚さ、及び前記第２側面プレートの厚さは、前記第１端部プレート及び前記第２端部プレートのうち少なくとも一つの厚さよりも薄いか、又は同じであることを特徴とする請求項１に記載のバッテリモジュール。
【請求項１１】
前記ハウジング部は底部プレートをさらに含むことを特徴とする請求項１に記載のバッテリモジュール。
【請求項１２】
前記第１側面プレートと前記第２側面プレートとは、前記底部プレートに結合されることを特徴とする請求項１１に記載のバッテリモジュール。
【請求項１３】
前記補強プレートは、前記底部プレートに結合されることを特徴とする請求項１１に記載のバッテリモジュール。
【請求項１４】
前記補強プレート及び前記底部プレートのうちいずれか一方は、溝またはホールを含み、
前記補強プレート及び前記底部プレートのうち、他方は突出部を含み、
前記突出部は前記溝またはホールに結合され、前記補強プレートが前記底部プレートに結合されるようにすることを特徴とするバッテリモジュール。
【請求項１５】
前記ハウジング部はステンレス鋼を含むことを特徴とする請求項１に記載のバッテリモジュール。
【請求項１６】
前記補強プレートに形成される絶縁コーティング層をさらに含むことを特徴とする請求項１に記載のバッテリモジュール。
【請求項１７】
前記補強プレートを複数備え、それぞれの前記補強プレートは、互いに異なるセットの二つの隣接した前記バッテリーセルの間に位置されることを特徴とする請求項１に記載のバッテリモジュール。
【請求項１８】
前記補強プレートの高さは、前記バッテリーセルの高さよりも低いか、または同じであることを特徴とする請求項１に記載のバッテリモジュール。
【発明の詳細な説明】
【技術分野】
【０００１】
本発明は、バッテリモジュールに関する。
【背景技術】
【０００２】
近年、高エネルギー密度の非水電解液を用いた高出力バッテリモジュールが開発されている。このような高出力バッテリモジュールは、高出力を必要とする機器、例えば電気自動車などのモータ駆動に使用できるように、複数のバッテリーセルを直列に連結して大容量で具現されている。
【０００３】
このようなバッテリモジュールを採用する機器が増えるにつれ、バッテリモジュールの生産性向上のための研究が進められており、機器の外観が多様化するにつれてこれに対応してバッテリモジュールの形態も多様化することが求められている。ただし、バッテリモジュールは、基本的に安全性が前提されるべきあるところ、これをすべて満たすことができるバッテリモジュールに構造に関する研究が多方面で進められている。
【発明の概要】
【発明が解決しようとする課題】
【０００４】
したがって、本発明は上記課題を解決するためになされたもので、その目的は外部からの衝撃によるハウジング部の変形の恐れがなく、安定性を向上させながら軽量化が可能なバッテリモジュールを提供することである。
【課題を解決するための手段】
【０００５】
上記目的を達成するために本発明実施形態に係るバッテリモジュールは、同一方向に整列された複数のバッテリーセルと、前記バッテリーセルを収容するハウジング部と、を備え、前記ハウジング部は、隣接した二つの前記バッテリーセルの間に配置される補強プレートと、前記補強プレートの両端のそれぞれに結合するように配置された第１側面プレート及び第２側面プレートと、前記第１側面プレート及び前記第２側面プレートのそれぞれの一端部に結合された前記第１端部プレートと、前記第１側面プレート及び前記第２側面プレートのそれぞれの他端部に結合された前記第２端部プレートと、を含むことができる。
【０００６】
ここで、前記補強プレートは、前記第１側面プレートと前記第２側面プレートとに溶接することができる。
【０００７】
また、前記補強プレート、前記第１側面プレート、及び前記第２側面プレートは、同一の物質を含むことができる。
【０００８】
また、前記補強プレート、前記第１側面プレート、及び前記第２側面プレートのうちいずれか一つは溝またはホールを含み、前記補強プレート、前記第１側面プレート、及び前記第２側面プレートのうち、いずれか他の一つは突出部を含み、前記突出部は、前記ホールまたは溝に結合され、前記補強プレートが前記第１側面プレートと前記第２側面プレートとに結合されるようにすることができる。
【０００９】
また、前記溝またはホールは、前記突出部がスライドできるようにする縦方向のスリット形状を持つことができる。
【００１０】
また、前記溝またはホールは、前記突出部が当てはまるノッチの形態を持つことができる。
【００１１】
また、前記補強プレート及び前記第１側面プレートとは互いにネジ結合し、前記補強プレート及び前記第２側面プレートとは互いにネジ結合することができる。
【００１２】
また、前記補強プレートは第１結合ホールを含み、前記第１側面プレートと前記第２側面プレートとはそれぞれ第２結合ホールを含み、固定部材が前記第１結合ホール及び前記第２結合ホールを貫通するように延在することができる。
【００１３】
また、前記補強プレートが間に位置された二つの隣接した前記バッテリーセルは、前記複数のバッテリーセルの中央部に位置することができる。
【００１４】
また、前記補強プレートの厚さ、前記第１側面プレートの厚さ、及び前記第２側面プレートの厚さは、前記第１端部プレート及び前記第２端部プレートのうち少なくとも一つの厚さよりも薄いか、又は同じである。
【００１５】
また、前記ハウジング部は底部プレートをさらに含むことができる。
【００１６】
また、前記第１側面プレートと前記第２側面プレートとは、前記底部プレートに結合することができる。
【００１７】
また、前記補強プレートは、前記底部プレートに結合することができる。
【００１８】
また、前記補強プレート及び前記底部プレートのうちいずれか一方は溝またはホールを含み、前記補強プレート及び前記底部プレートのうち、他方は突出部を含み、前記突出部は前記溝またはホールに結合され、前記補強プレートが前記底部プレートに結合されるようにすることができる。
【００１９】
また、前記ハウジング部はステンレス鋼を含むことができる。
【００２０】
また、前記補強プレートに形成される絶縁コーティング層をさらに含むことができる。
【００２１】
また、前記補強プレートを複数備え、それぞれの前記補強プレートは、互いに異なるセットの二つの隣接した前記バッテリーセルの間に位置することができる。
【００２２】
また、前記補強プレートの高さは、前記バッテリーセルの高さよりも低いか、または同じである。
【発明の効果】
【００２３】
以上のように本発明のバッテリモジュールによると、ハウジング部に補強プレートが含まれることにより、ハウジング部の強度が改善され、バッテリモジュールの安全性が向上されながらもバッテリモジュールの軽量化を具現することができる。
【図面の簡単な説明】
【００２４】
【図１】本発明の一実施形態によるバッテリモジュールの斜視図である。
【図２】図１に示したバッテリモジュールの分解斜視図である。
【図３】図２に示したＡ-Ａ´線に沿ったバッテリモジュールのハウジング部の断面図である。
【図４】本発明の他の実施形態によるバッテリモジュールの分解斜視図である。
【図５】図４に示したＢ-Ｂ´線に沿ったバッテリモジュールのハウジング部の断面図である。
【図６】図４に示したバッテリモジュールのハウジング部の一部を示した平面図である。
【図７】本発明の他の実施形態によるバッテリモジュールの分解斜視図である。
【図８】図８は、図７に示したバッテリモジュールのハウジング部の一部を示した平面図である。
【図９】本発明の他の実施形態によるバッテリモジュールの斜視図である。
【図１０】図９に示したバッテリモジュールの分解斜視図である。
【図１１】図９に示したＣ-Ｃ´線に沿ったバッテリモジュールのハウジング部の断面図である。
【発明を実施するための形態】
【００２５】
以下、添付した図面を参照して本発明の実施形態について詳細に説明する。図１は、本発明の一実施形態によるバッテリモジュール１００ａの斜視図、図２は図１に示したバッテリモジュール１００ａの分解斜視図である。以下、これを参照して、本実施形態によるバッテリモジュール１００ａについて説明する。
【００２６】
図１及び図２に示したように、本実施形態によるバッテリモジュール１００ａは、同一方向に整列された複数のバッテリーセル１１０と、複数のバッテリーセル１１０の外面に配置されたハウジング部１２０ａと、を含み、ハウジング部１２０ａは、少なくともいずれか二つのバッテリーセル１１０の間に配置された補強プレート１２２ａを含むことができる。
【００２７】
バッテリーセル１１０は、エネルギーを発生する部材であり、複数で構成されて同一方向に整列することができる。ここで、それぞれのバッテリーセル１１０は、一面が開口されたバッテリケースとバッテリケース内に収納された電極組立体及び電解液を含むことができる。この時、電極組立体及び電解液は、電気化学的に反応してエネルギーを発生することができ、このようなバッテリケースは、例えば、キャップ組立体を含むバッテリーセル１１０の一面１１１によって密閉することができる。
【００２８】
また、バッテリーセル１１０の一面１１１には、互いに異なる極性を有する端子部１１４、すなわち、陽極端子１１５と陰極端子１１６とが突出して設けることができ、バッテリーセル１１０の安全手段として内部から発生する気体を外部に放出する通路として作用するベント部１１７をさらに設けることができる。また、複数のバッテリーセル１１０のうち、隣り合うバッテリーセル１１０の端子部１１４は、バス・バー１１８を介して電気的に連結することができ、バス・バー１１８は、例えば、ナットなどのような固定手段１１９によって端子部１１４に固定することができる。一方、バッテリーセル１１０は端子部１１４が引き出される一面１１１、一面１１１とは反対になる他面１１２、一面１１１と他面１１２を連結する側面１１３とを含むことができる。
【００２９】
ハウジング部１２０ａは、図１及び図２に示したように、複数のバッテリーセル１１０の外面に配置された複数のバッテリーセル１１０を同一方向に整列して外部から保護するための部材である。ここで、ハウジング部１２０ａは、例えば二つの側面プレート１２１ａ（第１側面プレートと第２側面プレートとを含む）、二つの端部プレート１２３（第１端部プレートと第２端部プレートとを含む）、及び補強プレート１２２ａを含むことができる。この時、側面プレート１２１ａは、複数のバッテリーセル１１０全体の側面１１３をカバーするために具現され、端部プレート１２３は、最外側のバッテリーセル１１０に隣接したように、すなわち、最外側のバッテリーセル１１０の広い面をカバーするために具現することができる。
【００３０】
したがって、二つの側面プレート１２１ａと、二つの端部プレート１２３が連結、すなわち、端部プレート１２３のうち第１端部プレートは側面プレート１２１ａの第１端部に結合され、端部プレート１２３のうち第２端部プレートは、側面プレート１２１ａの第２端部に結合され、上面と下面とが開放されたボックス形状を成すことができ、その内部にバッテリーセル１１０をホールディングする形態を有することができる。この時、側面プレート１２１ａと端部プレート１２３は、例えば、ネジ結合、溶接、機械式溝（またはホール）-突起の結合を介して連結することができる。
【００３１】
また、補強プレート１２２ａは二つの側面プレート１２１ａに両外側面が結合されて側面プレート１２１ａに垂直に結合することができ、例えば、溶接によって結合することができる。この時、溶接の結合性を向上させるために補強プレート１２２ａと側面プレート１２１ａは、例えばステンレス鋼のような同一材料で構成することができる。また、補強プレート１２２ａは、複数のバッテリーセル１１０のうち少なくともいずれか二つの隣接したセルバッテリ１１０の間に位置することができる。この時、補強プレート１２２ａは、複数のバッテリーセル１１０のうち中央部に位置した二つのバッテリーセル１１０の間に位置するか、又はその他の二つのバッテリーセル１１０の間に位置することもでき、または多数で具現されて互いに異なるセットの二つのバッテリーセル１１０の間に位置することもできる。また、補強プレート１２２ａの高さはバッテリーセル１１０の高さよりも低いか、または同じでありうるが、これはバッテリーのセル１１０の端子部１１４の間を直列または並列に連結するバスバーなどの部材と補強プレート１２２ａが干渉されて、余計に短絡されるなど、干渉による問題点を解決するためのものである。
【００３２】
一方、ハウジング部１２０ａが鉄を含む場合、例えば、ステンレス鋼を含む場合には、バッテリモジュール１００ａを軽量化することができるが、バッテリモジュール１００ａの長さが長くなると、衝撃による変形の恐れが発生しえるという問題がある。しかし、本実施形態によるバッテリモジュール１００ａの場合、側面プレート１２１ａの中央部に補強プレート１２２ａを結合させて、ハウジング部１２０ａの鋼性を増加させるため、このような問題を解決することができる。この時、補強プレート１２２ａは、側面プレート１２１ａに、例えば、レーザ溶接などのような溶接作業により結合することができるが、溶接の場合、高熱が発生するため、補強プレート１２２ａを側面プレート１２１ａに結合させた後にバッテリーセル１１０を配置し、端部プレート１２３を連結することが望ましい。
【００３３】
また、補強プレート１２２ａを側面プレート１２１ａに溶接のよって結合させる場合、補強プレート１２２ａ及び側面プレート１２１ａの厚さが厚ければ溶接が難しいので、補強プレート１２２ａと側面プレート１２１ａの厚さは、端部プレート１２３の厚さと同一か、又は薄く具現することが望ましい。例えば、補強プレート１２２ａと側面プレート１２１ａは、０.８〜１mmの厚さで具現し、端部プレート１２３は１.５mm以上の厚さで実現することができる。一方、補強プレート１２２ａとバッテリーセル１１０とが不意に短絡しないように補強プレート１２２ａの少なくとも一面、より具体的には、補強プレート１２２ａがバッテリーセル１１０と突き当たる面には絶縁物質をコーティングして絶縁コーティング層を形成することができる。
【００３４】
図３は、図２に示したＡ-Ａ´線に沿ったバッテリモジュール１００ａのハウジング部１２０ａの断面図である。以下、これを参照して本実施形態によるハウジング部１２０ａについてより具体的に調べてみる。
【００３５】
側面プレート１２１ａと補強プレート１２２ａとを単に溶接で連結した場合、結合力が比較的に弱いため、外力により側面プレート１２１ａと補強プレート１２２ａとが分離されうる。しかしながら、本実施形態によるバッテリモジュール１００ａの場合、図３に示したように、突出部１２４ａと溝部１２５ａとの間の結合を追加し、側面プレート１２１ａと補強プレート１２２ａとの間の結合力を堅固にすることができる。
【００３６】
具体的には、補強プレート１２２ａに突出部１２４ａを形成して側面プレート１２１ａに溝部１２５ａを形成し、補強プレート１２２ａの突出部１２４ａを側面プレート１２１ａの溝部１２５ａに挿入した後、当該部位を溶接することにより、補強プレート１２２ａと側面プレート１２１ａとを堅固に結合することができる。この時、突出部１２４ａを溝部１２５ａに先に挿入した後に溶接をするため、補強プレート１２２ａと側面プレート１２１ａ間の結合を堅固にすることができるだけでなく、溶接前に突出部１２４ａと溝部１２５ａとを結合して溶接作業時に補強プレート１２２ａの位置をアラインメントするような効果をも期待することができる。
【００３７】
一方、溝部１２５ａは、突出部１２４ａに対応した形状、位置に突出部１２４ａの個数と同一に具現することができる。この時、本実施形態では、「溝部」と表現したが、本発明の「溝部」は完全に貫通したホールまで含む概念として見ることができる。すなわち、本実施形態において、「溝部」は、溝またはホールを含む概念である。また、補強プレート１２２ａに突出部１２４ａが形成されて側面プレート１２１ａに溝部１２５ａが形成されたものと説明したが、これと反対に構成される場合も可能であるだろう。また、本実施形態では、溝部１２５ａは突出部１２４ａが当てはまるノッチの形態を持つことができる。
【００３８】
図４は、本発明の他の実施形態によるバッテリモジュール１００ｂの分解斜視図で、図５は、図４に示したＢ-Ｂ´線に沿ったバッテリモジュール１００ｂのハウジング部１２０ｂの断面図で、図６は、図４に示したバッテリモジュール１００ｂのハウジング部１２０ｂの一部を示した平面図である。以下、これを参照して本実施形態によるバッテリモジュール１００ｂについて説明する。ここで、同一または対応する構成要素は同一の符号を指し、以前実施形態と重複する説明は省略する。
【００３９】
図４〜図６に示したように、本実施形態によるバッテリモジュールの場合、ハウジング部１２０ｂが側面プレート１２１ｂに溶接された補強プレート１２２ｂを含むが、側面プレート１２１ｂに形成された溝部１２５ｂの形状が長く具現されることができる。具体的には、溝部１２５ｂが上下方向にスリット形態で縦に長く形成されることができ、溝部１２５ｂに突出部１２４ｂが挿入（またはスライド）されることができる。このような場合、図５に示したように、補強プレート１２２ｂのいずれか一側に突出部１２４ｂが二つ備えられても、それに対応した溝部１２５ｂは、１つで備えることができる。この時、溝部１２５ｂが長いスリット形態で具現される場合、二つの側面プレート１２１ｂを離隔されるように立てておいた後、補強プレート１２２ｂを上部から下部方向へスライドして嵌めこむことができるため、ハウジング部１２０ｂの製造に便宜を提供することができる。
【００４０】
図７は、本発明の他の実施形態によるバッテリモジュール１００ｃの分解斜視図で、図８は、図７に示したバッテリモジュール１００ｃのハウジング部１２０ｃの一部を示した平面図である。以下、これを参照して本実施形態によるバッテリモジュール１００ｃについて説明する。ここで、同一または対応する構成要素は同一の符号を指し、以前実施形態と重複する説明は省略する。
【００４１】
図７及び図８に示したように、本実施形態によるバッテリモジュール１００ｃの場合、ハウジング部１２０ｃが側面プレート１２１ｃに結合された補強プレート１２２ｃを含むが、補強プレート１２２ｃと側面プレート１２１ｃとの結合がネジ結合によりなされることができる。具体的に、補強プレート１２２ｃに第１結合ホール１２６ｃが形成されて側面プレート１２１ｃに第２結合ホール１２７ｃが形成され、固定部材１２８が第１結合ホール１２６ｃ及び第２結合ホール１２７ｃに挿入されることにより、補強プレート１２２ｃと側面プレート１２１ｃとの間の結合が具現されることができる。つまり、固定部材１２８は第１結合ホール１２６ｃ及び第２結合ホール１２７ｃを貫通するように延在することができる。この時、第１結合ホール１２６ｃ及び第２結合ホール１２７ｃの内側には螺子線が形成されることができ、固定部材１２８はボルトで具現されることにより、補強プレート１２２ｃと側面プレート１２１ｃとがネジ結合で堅固に結合されることができる。
【００４２】
図９は、本発明の他の実施形態によるバッテリモジュール１００ｄの斜視図で、図１０は、図９に示したバッテリモジュール１００ｄの分解斜視図で、図１１は、図９に示したＣ-Ｃ´線に沿ったバッテリモジュール１００ｄのハウジング部１２０ｄの断面図である。以下、これを参照して本実施形態によるバッテリモジュール１００ｄについて説明する。ここで、同一または対応する構成要素は同一の符号を指し、以前実施形態と重複する説明は省略する。
【００４３】
図９〜図１１に示したように、本実施形態によるバッテリモジュール１００ｄは、複数のバッテリーセル１１０及びハウジング部１２０ｄを含むが、ハウジング部１２０ｄが側面プレート１２１ｄ、補強プレート１２２ｄ、及び端部プレート１２３のほかに底部プレート１２９をさらに含むことができる。具体的に、底部プレート１２９は複数のバッテリーセル１１０全体の他面１１２をカバーできるように具現することができ、端部プレート１２３または側面プレート１２１ｄに連結することができる。また、本実施形態では、補強プレート１２２ｄは底部プレート１２９に結合することができ、例えば、単純溶接、図９〜図１１に示したような突出部１２４ｄと溝部１２５ｄによる結合と溶接、またはネジ締結方式などによって補強プレート１２２ｄと底部プレート１２９との結合をすることができる。
【００４４】
一方、本実施形態では、補強プレートが底部プレートに結合された形態を説明したが、補強プレートが側面プレート及び底部プレートにすべて結合された形態も可能であるだろう。この時、補強プレートには三方向に突出部が形成されることができ、二つの側面プレートと底部プレートに形成された溝部に前記突出部が挿入されたままで溶接することができる。もちろん、単純溶接によって結合されるか、またはネジ結合方式で結合されることも可能である。
【００４５】
以上説明したように、本発明の最も好ましい実施形態について説明したが、本発明は、上記記載に限定されるものではなく、特許請求の範囲に記載され、又は明細書に開示された発明の要旨に基づき、当業者において様々な変形や変更が可能なのはもちろんであり、斯かる変形や変更が、本発明の範囲に含まれることは言うまでもない。
【符号の説明】
【００４６】
１１０  バッテリーセル、
１２０ａ、１２０ｂ、１２０ｃ、１２０ｄ  ハウジング部、
１２１ａ、１２１ｂ、１２１ｃ、１２１ｄ  側面プレート、
１２２ａ、１２２ｂ、１２２ｃ、１２２ｄ  補強プレート、
１２３  端部プレート、
１２４ａ、１２４ｂ、１２４ｄ  突出部、
１２５ａ、１２５ｂ、１２５ｄ  溝部、
１２６ｃ  第１結合ホール、
１２７ｃ  第２結合ホール
１２８  固定部材、
１２９  底部プレート
【図１】
2014212112.tif 000003
【図２】
2014212112.tif 000004
【図３】
2014212112.tif 000005
【図４】
2014212112.tif 000006
【図５】
2014212112.tif 000007
【図６】
2014212112.tif 000008
【図７】
2014212112.tif 000009
【図８】
2014212112.tif 000010
【図９】
2014212112.tif 000011
【図１０】
2014212112.tif 000012
【図１１】
2014212112.tif 000013